(57)【特許請求の範囲】
【請求項１】
上下方向及び幅方向を有し、マスク本体と一対の耳掛け部とを含む使い捨てマスクにおいて、
前記マスク本体は、上端縁及び下端縁と、両側縁と、着用者の口鼻を覆う接顔部と、前記接顔部から下方へ凸曲状に突出する接顎部とを有し、
前記耳掛け部の両端を固定する上固定部及び下固定部は、前記接顔部の両側部分において前記上端縁及び前記下端縁側に固定されており、
前記一対の耳掛け部の前記上固定部間の前記幅方向の寸法である第１寸法、前記一対の耳掛け部の前記下固定部間の前記幅方向の寸法である第２寸法、前記接顎部の前記下端縁の前記幅方向の寸法である第３寸法の大きさの相関関係が、第３寸法＞第１寸法≒第２寸法であって、
前記接顔部は、前記マスク本体の前記上下方向の寸法を２等分する横断中心線よりも下方において、前記上下方向において隣接する部分よりも剛性の低い低剛性域を有し、
前記接顎部は、前記幅方向へ直状に延びる中央部位と、前記中央部位の前記幅方向の両側に位置して前記両側縁から前記中央部位まで曲状に延びる一対のサイド曲状部位とによって外形ラインが形成されており、
前記中央部位の両側に位置する第１点から前記幅方向へ延びる第１ラインと、前記第１点と前記耳掛け部の自由部の下端縁と前記下固定部の内側縁との交点である第２点とを結ぶ第２ラインの交角は、１０〜４０度であることを特徴とするマスク。
【請求項２】
前記第２寸法が１１５〜１３５ｍｍの場合、前記第２寸法と前記第３寸法との合計寸法が２４０〜２６０ｍｍであって、前記２寸法が１４０〜１６０ｍｍの場合、前記第２寸法と前記第３寸法との合計寸法が２９０〜３１０ｍｍである請求項１に記載のマスク。
【請求項３】
前記第２寸法が１１５〜１３５ｍｍの場合、前記第３寸法が１２０〜１４０ｍｍであって、前記第２寸法が１４０〜１６０ｍｍの場合、前記第３寸法が１４５〜１６５ｍｍである請求項１に記載のマスク。
【請求項４】
前記接顎部の前記幅方向における曲げ剛性値が０．０６以下である請求項１〜３のいずれかに記載のマスク。
【請求項５】
前記耳掛け部の前記上固定部と前記下固定部との前記上下方向の離間寸法は、５０〜７０ｍｍである請求項１〜４のいずれかに記載のマスク。
【発明の詳細な説明】
【技術分野】
【０００１】
本発明は、使い捨てマスクに関する。
【背景技術】
【０００２】
図５及び図６を参照すると、特許文献１と特許文献２とには、それぞれ、着用者の口鼻を覆う接顔部２２２，３２２と、接顔部２２２，３２２の下方に位置する接顎部２２３，３２３とを有するマスク本体２２０，３２０と、マスク本体２２０，３２０の両側部に取り付けられた一対の環状の耳掛け部２３０，３３０とを備える使い捨てマスク２００，３００が開示されている。
【先行技術文献】
【特許文献】
【０００３】
【特許文献１】特開２０１０−２７９６２０号公報（Ｐ２０１０−２７９６２０）
【特許文献２】特開２００７−９７９０４号公報（Ｐ２００７−９７９０４）
【発明の概要】
【発明が解決しようとする課題】
【０００４】
特許文献１に開示された使い捨てマスク２００では、耳掛け部２３０の両端が、接顔部２２２の一部である上端部と、接顎部２２３の一部である下端部とに固定されている。
【０００５】
特許文献２に開示された使い捨てマスク３００では、耳掛け部３３０が接顔部３２２の両側部に取り付けられており、接顎部に位置する下端部には、両側シール域３４４に比して剛性の低い、非シール域３４０が位置している。
【０００６】
図７（ｂ）を参照すると、特許文献１に開示のマスク２００においては、耳掛け部２３０の両端が、マスク本体２２０の接顔部２２２と接顎部２２３とに固定されていることから、耳掛け部２３０の上下方向Ｙの寸法Ｒ４が着用者の耳８０の上下方向Ｙの寸法Ｒ３よりも大きくなり、着用状態においてマスク本体２２０の両側縁部が頬に密着せずに、空気中の花粉や粉塵等が入り込むような隙間２５０が生じてしまうおそれがある。
【０００７】
図７（ｃ）を参照すると、特許文献２に開示のマスク３００においては、マスク本体３２０の接顎部３２３において、非シール域３４０からなる低剛性域が位置することによって、着用状態において、接顎部３２３が着用者の顎から浮き上がるように離間して、顎とマスク本体３２０との間に空気中の花粉や粉塵等が入り込むような隙間３５０が生じてしまうおそれがある。
【０００８】
本発明は、従来の使い捨てマスクの改良であって、顔面とマスク本体との間に、空気中の花粉や粉塵等が入り込むような隙間が生じることのない使い捨てマスクの提供を課題にしている。
【課題を解決するための手段】
【０００９】
前記課題を解決するために、本発明は、上下方向及び幅方向を有し、マスク本体と一対の耳掛け部とを含む使い捨てマスクに関する。
【００１０】
本発明に係る使い捨てマスクは、前記マスク本体は、上端縁及び下端縁と、両側縁と、着用者の口鼻を覆う接顔部と、前記接顔部から下方へ凸曲状に突出する接顎部とを有し、前記耳掛け部の両端を固定する上固定鵜及び下固定部は、前記接顔部の両側部分において前記上端縁及び前記下端縁側に固定されており、前記一対の耳掛け部の前記上固定部間の前記幅方向の寸法である第１寸法、前記一対の耳掛け部の前記下固定部間の前記幅方向の寸法である第２寸法、前記接顎部の前記下端縁の前記幅方向の寸法である第３寸法の大きさの相関関係が、第３寸法＞第１寸法≒第２寸法であって、前記接顔部は、前記マスク本体の前記上下方向の寸法を２等分する横断中心線よりも下方において、前記上下方向において隣接する部分よりも剛性の低い低剛性域を有し、前記接顎部は、前記幅方向へ直状に延びる中央部位と、前記中央部位の前記幅方向の両側に位置して前記両側縁から前記中央部位まで曲状に延びる一対のサイド曲状部位とによって外形ラインが形成されており、前記中央部位の両側に位置する第１点から前記幅方向へ延びる第１ラインと、前記第１点と前記耳掛け部の自由部の下端縁と前記下固定部の内側縁との交点である第２点とを結ぶ第２ラインの交角は、１０〜４０度である。
【００１１】
前記第２寸法が１１５〜１３５ｍｍの場合、前記第２寸法と前記第３寸法との合計寸法が２４０〜２６０ｍｍであって、前記第２寸法が１４０〜１６０ｍｍの場合、前記第２寸法と前記第３寸法との合計寸法が２９０〜３１０ｍｍであることから、成人の女性が着用したときに、シャープな小顔の印象を与えることができる。
【００１２】
前記第２寸法が１１５〜１３５ｍｍの場合、前記第３寸法が１２０〜１４０ｍｍであって、前記第２寸法が１４０〜１６０ｍｍの場合、前記第３寸法が１４５〜１６５ｍｍであることから、成人の女性が着用したときに、シャープな小顔の印象を与えることができる。
【００１３】
前記接顎部の前記幅方向における曲げ剛性値が０．０６以下であることから、接顎部が顎部の形状に沿って変形してフィットすることができる。
【００１４】
前記耳掛け部の前記上固定部と前記下固定部との前記上下方向の離間寸法は、５０〜７０ｍｍであることによって、着用者の顔面が大きく見えることはなく、小顔の印象を与えることができる。
【発明の効果】
【００１５】
本発明に係る使い捨てマスクによれば、一対の耳掛け部の前記上固定部間の幅方向の寸法である第１寸法、一対の耳掛け部の前記下固定部間の幅方向の寸法である第２寸法、接顎部の前記下端縁の幅方向の寸法である第３寸法の大きさの相関関係が、第３寸法＞第１寸法≒第２寸法であることから、着用者の顎部がシャープであって、全体的に小顔の印象を与えることができる。
【図面の簡単な説明】
【００１６】
図面は、本発明の特定の実施の形態を示し、発明の不可欠な構成ばかりでなく、選択的及び好ましい実施の形態を含む。
【図１】本発明に係る使い捨てマスクを正面から視た平面図。
【図２】図１のＩＩ−ＩＩ線に沿って切断し、マスクの一方側部側を外面から視た斜視図。
【図３】マスク本体の平面図。
【図４】着用状態におけるマスクの側面図。
【図５】従来の使い捨てマスクの平面図。
【図６】他の従来の使い捨てマスクの平面図。
【図７】（ａ）本発明の使い捨てマスクが着用された様子を斜め後方から視た図、（ｂ）従来の使い捨てマスクが着用された様子を斜め後方から視た図、（ｃ）他の従来の使い捨てマスクが着用された様子を斜め後方から視た図。
【図８】着用状態における使い捨てマスクの正面図。
【図９】（ａ）は、本発明に係るマスク１０の平面図、（ｂ）は、従来のマスク４００の平面図。
【図１０】（ａ）は、マスク１０の着用状態における正面図、図１０（ｂ）は、マスク１０の着用状態における側面図、図１０（ｃ）は、従来のマスク４００の着用状態における正面図、図１０（ｄ）は、従来のマスク４００の着用状態における側面図。
【図１１】小顔効果の事前評価に関するヒストグラム。
【図１２】小顔効果の本評価に関するグラフ。
【図１３】変形例の一例における使い捨てマスクを正面から視た平面図。
【発明を実施するための形態】
【００１７】
下記の実施の形態は、図１〜図１３に示す使い捨てマスクに関し、発明の不可欠な構成ばかりではなく、選択的及び好ましい構成を含む。
【００１８】
図１〜図３を参照すると、本発明の使い捨てマスクの一例として示す、マスク１０は、上下方向Ｙ及び幅方向Ｘを有し、肌対向面及びそれに対向する非肌対向面と、上下方向Ｙの寸法を２等分する横断中心線Ｑと、マスク本体２０と、マスク本体２０の両側縁２０ｃ，２０ｄから延びる一対の環状の耳掛け部３０とを含む。
【００１９】
マスク本体２０は、基材シート２１から形成されており、幅方向Ｘへ直状に延びる上端縁２０ａと、下方へ僅かに凸曲して幅方向Ｘへ延びる下端縁２０ｂと、上下端縁２０ａ，２０ｂ間において上下方向Ｙへ延びる両側縁２０ｃ，２０ｄとを有する。マスク本体２０の下端縁（接顎部２３の下端縁）２０ｂは、幅方向Ｘへ直状に延びる中央部位１９ａと、中央部位１９ａの幅方向Ｘの両側に位置に位置して両側縁２０ｃ，２０ｄから中央部位１９ａまで曲状に延びる一対のサイド曲状部位（両側部位）１９ｂ，１９ｃとを有する。また、マスク本体２０は、耳掛け部３０の上下固定部３４Ａ，３４Ｂの内側縁から幅方向Ｘの外側に位置する両側縁部１８を有する。
【００２０】
図２及び図３を参照すると、マスク本体２０は、着用者の口鼻を覆う接顔部２２と、接顔部２２から下方へ凸曲状に突出する接顎部２３とに区分される。本明細書において、接顔部２２とは、両側縁２０ｃ，２０ｄ間において、上下方向Ｙにおいて上端縁２０ａから耳掛け部３０の上下端３１Ａ，３１Ｂを固定する上下固定部３４Ａ，３４Ｂの近傍まで延びる領域を意味し、好ましくは、上下方向Ｙにおいて上端縁２０ａから上下固定部３４Ａ，３４Ｂの下端縁までの領域を意味する。図示例では、接顔部２２と接顎部２３との境界ラインＭが、マスク本体２０の大きさ及び着用者の顔面の大きさ等を考慮して、下固定部３４Ｂの下端縁間において幅方向Ｘへ延びている。マスク本体２０は、さらに、上下端縁２０ａ，２０ｂと両側縁２０ｃ，２０ｄとが交差する曲状の隅部２７を有する。隅部２７が、先鋭状ではなく曲状を有することによって、着用者の顔面が隅部２７に触れても刺激を与えることはない。
【００２１】
マスク本体２０（マスク１０）の上下方向Ｙの寸法（両側縁２０ｃ，２０ｄの長さ寸法）Ｗ１は、６０〜１００ｍｍ、幅方向Ｘの寸法（上下端縁２０ａ，２０ｂの長さ寸法）Ｌ１は、１４０〜１８０ｍｍである。マスク本体２０の上下方向Ｙの寸法Ｗ１が、６０ｍｍ以下の場合には、大人の着用者の標準的な大きさの顎部を十分に被覆することができず、一方、寸法Ｗ１が１００ｍｍよりも大きい場合には、マスク本体２０の下端が顎から下方へ離間して、正面視において、実際よりも面長な印象を与えてしまうおそれがある。
【００２２】
マスク本体２０を形成する基材シート２１は、肌対向面側に位置する内層シート２５と、非肌対向面側に位置する外層シート２６とから構成されている。内層シート２５と外層シート２６とは、マスク本体２０の外周縁に沿って断続的に延びる外周シール域（外周高剛性域）４０によって互いに接合されている。外周シール域４０は、その延在方向へ所定寸法離間して配置された複数の接合部４１から形成される。外周シール域４０は、マスク本体２０の上端縁２０ａに沿って幅方向Ｘへ断続的に延びる２条のラインからなる上側シール域４２と、下端縁２０ｂに沿って幅方向Ｘへ断続的に延びる下側シール域４３と、両側縁２０ｃ，２０ｄに沿って上下方向Ｙへ断続的に延びるサイドシール域（シール域）４４とを有する。
【００２３】
内層シート２５と外層シート２６とは、例えば、熱融着性繊維を含む質量１０〜４０ｇ／ｍ２の通気性を有する繊維不織布シートであって、メルトブローン繊維不織布、スパンボンド繊維不織布、ＳＭＳ繊維不織布及びエアスルー繊維不織布等の各種公知の繊維不織布の他に、ガーゼ、木綿布等の良好な通気性を有するシート材料から形成することができる。図示していないが、それらの間に微粒子のフィルター機能を有していたり、抗菌剤、芳香剤等を含む中間シートを介在させてもよい。耳掛け部３０は、好ましくは弾性的に伸縮可能なものであって、不織布や織布、プラスチックフィルム、ゴムひも等の公知の弾性材料によって形成される。
【００２４】
外周シール域４０は、断続的に配置された複数の接合部４１において内層シート２５と外層シート２６とを互いに溶着する溶着シールラインであって、両シート２５，２６は外周シール域４０においてのみ接合され、他の部分において互いに接合されていない。したがって、両シート２５，２６の内面全体が互いに接合されている場合に比して、マスク１０全体は柔軟性及び通気性に優れる。
【００２５】
図２を参照すると、外周シール域４０の接合部４１は、一対の短辺と一対の長辺とから画成された略長方形状であって、上側シール域４２と下側シール域４３とにおいては、長辺が幅方向Ｘへ延びるように接合部４１が配置されており、上下方向Ｙへ延びる２つのシールラインを形成している。また、上側シール域４２のシールライン間の上下方向Ｙの離間寸法は、下側シール域４３のシールライン間の上下方向Ｙの離間寸法よりも大きくなっている。
【００２６】
上側シール域４２のシールライン間には、幅方向Ｘへ延びる弾性帯片（ノーズフィット）６０が配置されている。弾性帯片６０は、内層シート２５と外層シート２６との間に介在されており、具体的には、上側シール域４２を形成する２つのシールライン間に形成された筒状の空間内に挟持固定されている。弾性帯片６０の両端の幅方向の外側には、弾性帯片６０の幅方向Ｘへの移動を規制するための接合部４１が配置されている。
【００２７】
内層シート２５の上下端縁部は、外層シート２６の上下端縁部よりも上下方向Ｙの外側へ延出しており、かかる上下延出部２５ａ，２５ｂが上下方向Ｙの内側へ曲状に折り曲げられて、上側シール域４２と下側シール域４３とによって外層シート２６の非対向面側に固定されている。
【００２８】
耳掛け部３０は、マスク本体２０の上端部と下端部に位置する一対の上下端（両端）３１Ａ、３１Ｂと、上下端３１Ａ，３１Ｂ間において環状に延びる自由部３２とを有する。上端３１Ａは、マスク本体２０の上端縁２０ａ側において上固定部３４Ａを介して固定され、下端３１Ｂは、下端縁２０ｂ側において下固定部３４Ｂによって固定されている。上下固定部３４Ａ，３４Ｂは、上下端３１Ａ，３１Ｂの外形よりもひと回り大きく、網目状のエンボスパターンからなる矩形状を有し、上下端３１Ａ，３１Ｂをマスク本体２０に溶着又は接着している。上下固定部３４Ａ，３４Ｂが、上下端３１Ａ，３１Ｂの外形よりも大きいことによって、上下端３１Ａ，３１Ｂは、マスク本体２０に対して所要の剥離強度を有し、着用中に上下端３１Ａ，３１Ｂにそれを剥離しようとする力が作用しても、容易に剥離することはない。また、上下固定部３４Ａ，３４Ｂの一部は、上下側シール域４２，４３を形成する接合部４１と重なっており、かかる互いに重なり合う部分においてより接合強度が高くなっている。耳掛け部３０の上下端３１Ａ，３１Ｂは、上下固定部３４Ａ，３４Ｂによってマスク本体２０の非肌対向面に固定されている。自由部３２の両端が、マスク本体２０の非肌対向面に固定されていることによって、着用状態において、自由部３２の両端がマスク本体２０を顔面に押し当てるように作用し、マスク本体２０の密着性を向上させることができる。
【００２９】
マスク本体２０の接顔部２２は、基材シート２１をプリーツ状に折り曲げて形成された幅方向Ｘへ延びる複数の襞部２８を有する。襞部２８は、上側から順に、マスク本体２０の非肌対向面側において上向きに凸となる第１〜第３襞部２８Ａ〜２８Ｃと、第３襞部２８Ｃの下方において下向きに凸となる第４襞部２８Ｄとを有する。基材シート２１は、第３襞部２８Ｃと第４襞部２８Ｄとにおいて、断面Ω状に折り曲げられている。したがって、横断中心線Ｑの下方において、基材シート２１が折り重ねられてそれが複数に積層された重畳部分２９Ａと、第３襞部２８Ｃと第４襞部２８Ｄとの間に位置する、基材シート２１が折り重ねられていない、単層構造を有する非重畳部分２９Ｂとが位置する。
【００３０】
図１及び図３を参照すると、マスク本体２０の接顎部２３は、下端縁２０ｂに沿って幅方向Ｘへ延びる、接顎部２３における他の部分よりも剛性の高い高剛性域５５を有する。本実施形態において、高剛性域５５は、下側シール域４３から形成されている。接顎部２３は、幅方向Ｘへ直状に延びる中央部位１９ａと、中央部位１９ａの幅方向Ｘの両側に位置して両側縁２０ｃ，２０ｄから中央部位１９ａまで曲状に延びる一対のサイド曲状部位１９ｂ，１９ｃとによって外形ライン（下端縁２０ｂの外形ライン）が形成されている。接顔部２２の下端(境界ラインＭと同じ)と中央部位１９ａとの上下方向Ｙにおける離間寸法（接顎部２３の上下方向Ｙにおける最大寸法）Ｗ２は、８〜１４ｍｍである。本実施形態において、接顎部２３の高剛性域５５は、その外形ラインに沿って延びる単数又は複数のエンボスラインからなる下側シール域４３であるが、かかるエンボスラインに代えて、基材シート２１の質量を部分的に大きくしたり、別体のシート部材を貼付することによって、他の部分に比して高い剛性を有していてもよい。
【００３１】
また、接顎部２３において、高剛性域５５と中央部位１９ａとにおける上下方向Ｙの離間寸法Ｒ１は、１〜５ｍｍである。外周シール域４０を形成する上側シール域４２と上端縁２０ａとの上下方向の離間寸法、サイドシール域４４と両側縁２０ｃ，２０ｄとの幅方向Ｘにおける離間寸法が、２〜７ｍｍであるのに対し、高剛性域５５と中央部位１９ａとにおける上下方向Ｙの離間寸法Ｒ１が１〜５ｍｍであって、マスク本体２０の外周縁部に位置する外周シール域４０のうち、高剛性域５５を形成する下側シール域４３がマスク本体２０の外形縁と最も近接して位置している。外周シール域４０が、このような配置態様を有することによって、着用状態における、高剛性域５５から下方へ延びる下端縁の浮き上がりを効果的に防止しうる。
【００３２】
接顎部２３の下端においては、内層シート２５の下延出部２５ｂが外層シート２６の非肌対向面側に固定されることによって、マスク本体２０の他の部分（内層シート２５の上延出部２５ａが配置された部分を除く）よりも基材シート２１の単位面積当たりの質量が大きい積層部分が位置する。接顎部２３の下端では、かかる積層部分と重なって高剛性域５５が位置することによって、部分的により剛性が高くなり、接顎部２３がより安定的に着用者の顎にフィットされる。特に、着用者が、声を出すときに口唇とともに顎が上下に動いたとしても、接顎部２３が位置ずれするおそれはない。
【００３３】
図４は、着用状態における使い捨てマスク１０の側面図、図５は、従来の使い捨てマスク（特許文献１に記載のマスク）２００の平面図、図６は、他の従来の使い捨てマスク（特許文献２に記載の使い捨てマスク）３００の平面図、図７（ａ）は、使い捨てマスク１０が着用された様子を斜め後方から視た図、図７（ｂ）は、従来の使い捨てマスク２００が着用された様子を斜め後方から視た図、（ｃ）他の従来の使い捨てマスク３００が着用された様子を斜め後方から視た図である。
【００３４】
図７（ｂ）を参照すると、従来のマスク２００は、マスク本体２２０と、マスク本体２２０の両側縁から延びる一対の環状の耳掛け部２３０と、着用者の口鼻を覆う接顔部２２２とその下方に位置する着用者の顎と対向する接顎部２２３とを有する。従来のマスク２００では、上下側シール域２４２，２４３及び両側シール域２４４を含む外周シール域が配置されており、接顎部２２３の外形が、幅方向Ｘへ直状に延びる中央部位２１９ａと、中央部位２１９ａの両側に位置する曲状のサイド曲状部位２１９ｂ，２１９ｃとから形成されている。
【００３５】
図７（ｃ）を参照すると、従来のマスク３００は、マスク本体３２０と、マスク本体３２０の両側縁から延びる一対の環状の耳掛け部３３０と、着用者の口鼻を覆う接顔部３２２とその下方に位置する接顎部３２３とを有する。従来のマスク３００では、マスク本体３２０の両側部に位置する両側シール域３４４が配置されており、接顎部３２３の外形が、幅方向Ｘへ直状に延びる中央部位３１９ａと、中央部位３１９ａの両側に位置する曲状のサイド曲状部位３１９ｂ，３１９ｃとから形成されている。
【００３６】
従来の使い捨てマスク２００，３００の着用状態において、接顔部２２２，３２２の着用者の鼻が当接された中央部から両側部へ向かう力Ｆ３と、耳８０に掛け回された耳掛け部２３０，３３０の自由部２３２，３３２において下方へ引っ張る力Ｆ５が生じて、耳掛け部２３０，３３０の上固定部２３４Ａ，３３４Ａには、下方へ向かう力Ｆ１が作用する。一方、接顎部２２３，３２３の着用者の顎が当接された中央部から両側部へ向かう力Ｆ４と、耳掛け部２３０，３３０の自由部２３２，３３２を上方へ引っ張る力Ｆ６とが生じることによって、耳掛け部２３０，３３０の下固定部２３４Ｂ，３３４Ｂには、上方へ向かう力Ｆ２が作用する。
【００３７】
従来の使い捨てマスク２００，３００のマスク本体２２０，３２０の両側縁部において、上固定部２３４Ａ、３３４Ａから下方へ向かう力Ｆ１と下固定部２３４Ｂ，３３４Ｂから上方へ向かう力Ｆ２とが互いに向かい合うことによって、両側縁部が顔面から浮き上がるように離間して隙間を生じるおそれがある。かかる場合において、それらの力Ｆ１，Ｆ２を両側縁部の一部で分散、吸収できれば変形を抑制することができるが、マスク本体２２０，３２０の両側縁部には、両側シール域２４４，３４４による高剛性域が位置することによって、これらの力Ｆ１，Ｆ２を十分に吸収、分散して逃がすことができない。
【００３８】
従来の使い捨てマスク２００において、上下固定部２３４Ａ，２３４Ｂに作用する力Ｆ１、Ｆ２は、それらの離間寸法Ｒ４の寸法の大きさに比例して大きくなるところ、耳掛け部２３０の上固定部２３４Ａがマスク本体２２０の接顔部２２２に位置し、下固定部２３４Ｂが接顎部２２３に位置しており、それらの離間寸法Ｒ４が比較的に大きくなっている。具体的には、離間寸法Ｒ４は、７０〜９０ｍｍである。そのために、上下固定部２３４Ａ，２３４Ｂに作用する引っ張る力Ｆ５，Ｆ６が大きくなるとともに、上下方へ向かう力Ｆ１，Ｆ２も大きくなり、マスク本体２２０の両側部がより変形しやすくなり、着用者の顔面から離間するおそれがある。また、耳掛け部２３０の上下固定部２３４Ａ，２３４Ｂが、接顔部２２２において両側シール域２４４の幅方向の外側に位置することから、両側シール域２４４の幅方向の外側に位置する外側縁部２６０に上方へ向かう力Ｆ２が作用し、顔面から浮き上がりが生しやすくなる。さらに、耳掛け部２３０の下固定部２３４Ｂは、比較的に大きくカーブしたサイド曲状部位２１９ｂ，２１９ｃの下方に固定されているから、上固定部２３４Ａの幅方向の内側に位置している。このように、上下固定部２３４Ａ、２３４Ｂが上下方向において並んで配置されていないことによって、それらが並んで配置されている場合に比して離間寸法Ｒ４が大きくなる。以上の構成上の問題から、マスク本体２０の両側縁と顔面との間に空気中の花粉や粉塵等が入り込むような隙間２５０が生じやすくなるといえる。
【００３９】
図６及び図７（ｃ）を参照すると、従来の使い捨てマスク３００においては、耳掛け部３３０の上下固定部３３４Ａ，３３４Ｂ間の離間寸法Ｒ５が、耳８０の上下方向Ｙの寸法Ｒ３に比べてそれほど大きくなく、自由部３３２に作用する力Ｆ５，Ｆ６が大きくなり過ぎることはないが、接顎部３２３には、シール域が存在しない非シール域３４０が位置して、他の部分に比して剛性の高い高剛性域が形成されていない。そのために、着用中において接顎部３２３全体が顔面から浮き上がり、顎との間に空気中の花粉や粉塵が入り込むような隙間３５０が生じるおそれがある。
【００４０】
図４を参照すると、本実施形態に係る使い捨てマスク１０においては、従来の使い捨てマスク２００，３００と同様に、接顔部２２の着用者の鼻が当接された中央部から両側部へ向かう力Ｆ３と、耳掛け部３０の自由部３２を後方へ引っ張る力Ｆ５が生じることによって、上固定部３４Ａには、下方へ向かう力Ｆ１が作用する。一方、接顎部２３において着用者の顎が当接された中央部から両側部へ向かう力Ｆ４、耳掛け部３０の自由部３２においてそれを斜め上方へ引っ張る力Ｆ６が作用することによって、下固定部３４Ｂには、上方へ向かう力Ｆ２が作用する。
【００４１】
本実施形態に係る使い捨てマスク１０においては、耳掛け部３０の上下固定部３４Ａ，３４Ｂが接顔部２２の両側部に位置しており、互いの離間寸法Ｒ２が約５０〜７０ｍｍであって、大人の着用者の耳８０の上下方向の寸法Ｒ３とほぼ同じ大きさになっている。大人の着用者の耳８０の上下方向Ｙの寸法Ｒ３は、個人差はあるが、平均的に５０〜７０ｍｍの大きさであって、離間寸法Ｒ２の大きさがかかる範囲内であることによって、耳掛け部３０の自由部３２を上下方向Ｙへ引っ張る力Ｆ５，Ｆ６が耳８０に向かってほぼ並行に延び、従来のマスク２００に比べて上下固定部３４Ａ，３４Ｂに作用するマスク本体２０の両側部を変形させようとする力を抑えることができる。
【００４２】
また、使い捨てマスク１０においては、接顎部２３に高剛性域５５が配置されていることによって、着用状態において、耳掛け部３０の下固定部３４Ｂ及び近傍にそれを変形しようとする力が作用しても、接顎部２３が顎から離間するように浮き上がることはない。また、高剛性域５５と下端縁２０ｂの中央部位１９ａとの上下方向Ｙにおける離間寸法Ｒ１が１〜５ｍｍであって比較的に小さいことから、高剛性域５５から下方に延びる部分が浮きあがるおそれはない。さらに、耳掛け部３０の上下固定部３４Ａ，３４Ｂが上下方向Ｙにおいて並んで配置（幅方向Ｘにおいて位置ずれせずに）されていることから、それがずれて位置して離間寸法Ｒ２が大きくなることはない。
【００４３】
図７（ａ）を参照すると、使い捨てマスク１０は、かかる構成を有することによって、着用状態において、接顔部２２の両側部分と接顎部２３とが着用者の顔面にフィットされており、空気中の花粉や粉塵等が直接マスク１０内部に進入するような隙間が生じるおそれはない。マスク１０では、接顔部２２において、基材シート２１を折り重ねて形成された重畳部分（高剛性域）２９Ａからなる襞部２８Ｃと襞部２８Ｄとの間に位置する単層構造を有する非重畳部分（低剛性域）２９Ｂが、横断中心線Ｑよりも下方に配置されていることによって、下固定部３４Ｂに作用する上方へ向かう力Ｆ２を非重畳部分２９Ｂにおいて吸収、分散することができる。非重畳部分２９Ｂにおいてかかる力Ｆ２を吸収、分散することによって、接顔部２２の両側部分における変形を抑制することができる。
【００４４】
再び、図３を参照すると、マスク１０の接顎部２３において、中央部位１９ａの両側に位置する第１点Ｐ１から幅方向Ｘへ延びる第１ラインＫ１と、第１点Ｐ１と自由部３２の下端縁と下固定部３４Ｂの内側縁との交点である第２点Ｐ２とを結ぶ第２ラインＫ２との交角θ１は、１０〜４０度である。一方、図５を参照すると、従来のマスク２００において、中央部位２１９ａの両側に位置する第１点Ｐ１から幅方向へ延びる第１ラインＫ１と、第１点Ｐ１と自由部２３２の下端縁とそれを固定する固定部との交点である第２点Ｐ２とを結ぶ第２ラインＫ２との交角θ２は、約４５度である。また、図６を参照すると、従来のマスク３００の接顔部３２２において、中央部位３１９ａの両側に位置する第１点Ｐ１から幅方向へ延びる第１ラインＫ１と、第１点Ｐ１と自由部３３２の下端縁とそれを固定する固定部との交点である第２点Ｐ２とを結ぶ第２ラインＫ２との交角θ３は、約２５度である。
【００４５】
図８を参照すると、着用状態の使い捨てマスク１０の正面視において、接顎部２３が着用者の顎の輪郭に沿うラウンド状を有することから、接顎部２３が顎の輪郭に沿わない場合に比してすっきりとした印象を与えることができる。ここで、接顎部２３を顎部にフィットさせ、かつ、すっきりとした印象を与えるためには、接顎部２３における交角θ１が少なくとも４０度以下、さらに、３５度以下であることが好ましい。従来のマスク２００のように、交角θ２が４５度以上の場合には、接顎部２３がシャープになり過ぎて、マスク１０を着用する前に比べて、着用者の顔面が面長であるような印象を与えるおそれがある。一方、従来の使い捨てマスク３００のように、接顎部３２３のサイド曲状部位３１９ｂ，３１９ｃが直状である場合には、交角θ３が３５度以下であっても、顎全体を覆うようにその外形に沿うことはできない。本実施形態に係るマスク１０は、着用者の顎の外形ラインに沿いながらも頬下から顎先までの範囲において僅かにシャープな形状となることによって、実際の顔の輪郭ラインよりもすっきりとした印象となる。
【００４６】
以上のように、本実施形態に係るマスク１０は、着用状態において、マスク本体２０と顔面との間に空気中の花粉や粉塵等が入り込むような隙間が発生し難く、正面視において、交角θ１が１０〜４０度の範囲内にあるので、両側縁２０ｃ，２０ｄが低剛性域において凹曲する緩やかな放物線状をなし、かつ、接顔部が適度にラウンドされた形状を有する。それによって、頬下から顎先にかけての範囲が実際のフェイスラインよりもすっきりとした印象を与え、実際よりも顔の大きさが小さく見るような小顔効果を発揮することができる。
【００４８】
図９（ａ）は、本発明に係るマスク１０の平面図、図９（ｂ）は、従来のマスク４００の平面図、図１０（ａ）は、マスク１０の着用状態における正面図、図１０（ｂ）は、マスク１０の着用状態における側面図、図１０（ｃ）は、従来のマスク４００の着用状態における正面図、図１０（ｄ）は、従来のマスク４００の着用状態における側面図である。
【００４９】
図９（ａ）を参照すると、本発明に係るマスク１０において、上固定部３４Ａと下固定部３４Ｂとが上下方向Ｙにおいて並んで配置されていることから、それらの内側縁を通過する一点鎖線（仮想線）Ｔ１，Ｔ２は、上下方向Ｙへ並行に延びている。マスク１０の一点鎖線Ｔ１，Ｔ２間において、耳掛け部３０の上固定部３４Ａ間の幅方向Ｘの寸法である第１寸法Ｎ１，耳掛け部３０の下固定部３４Ｂ間の幅方向Ｘの寸法である第２寸法Ｎ２，接顎部２３の下端縁の幅方向Ｘの寸法である第３寸法Ｎ３の大きさの相関関係が、Ｎ３＞Ｎ１≒Ｎ２となっている。
【００５０】
図９（ｂ）を参照すると、従来のマスク４００は、マスク本体４２０と、マスク本体４２０の両側縁４２０ｃ，４２０ｄから延びる一対の環状の耳掛け部４３０と、着用者の口鼻を覆う接顔部４２２とその下方に位置する着用者の顎と対向する接顎部４２３とを有する。従来のマスク４００においては、上端縁４２０ａが幅方向Ｘへ直状に延びている一方、下端縁４２０ｂが、中央部に位置する直状部位と、直状部位の両側において直状部位に向かって下り勾配に延びる傾斜部位とによって外形輪郭が画成されている。従来のマスク４００においては、耳掛け部４３０の上固定部４３４Ａと下固定部４３４Ｂとが上下方向Ｙにおいて位置ずれしていることから、それらの内側縁を通過する一点鎖線（仮想線）Ｔ１，Ｔ２は幅方向Ｘの中央部に向かって傾斜して互いに交差方向へ延びている。マスク４００の一点鎖線Ｔ１，Ｔ２間において、耳掛け部４３０の上固定部４３４Ａ間の幅方向Ｘの寸法である第１寸法Ｎ４，耳掛け部４３０の下固定部４３４Ｂ間の幅方向Ｘの寸法である第２寸法Ｎ５，接顎部４２３の下端縁の幅方向Ｘの寸法である第３寸法Ｎ６の大きさの相関関係がＮ４＞Ｎ６＞Ｎ５となっている。
【００５１】
図１０（ａ），（ｂ）を参照すると、本発明に係るマスク１０においては、耳掛け部３０の上固定部３４Ａ間の第１寸法Ｎ１と下固定部３４Ｂ間の第２寸法Ｎ２とがほぼ同じあることから、耳掛け部３０における後方へ引っ張る力Ｆ５，Ｆ６が均等にマスク本体の両側縁部１８に作用し、顔面からの浮き上がりが防止される。また、第１寸法Ｎ１と第２寸法Ｎ２とがほぼ同じ大きさであって、それらが、上下方向Ｙにならんで位置していることから、下固定部３４Ｂが上固定部３４Ａの幅方向Ｘの内側に位置している等の位置ずれしている場合に比して、上固定部３４Ａと下固定部３４Ｂとの離間寸法Ｒ５が小さくなる。したがって、下固定部３４Ｂ間の接顔部２２が比較的に小さくなり、小顔の印象を与えることができる。
【００５２】
マスク１０を着用したときに、このような小顔効果を発揮するために、主として成人の女性を対象とする場合、サイズによって異なるが、第２寸法Ｎ２が１１５〜１３５ｍｍの場合、第２寸法Ｎ２と第３寸法Ｎ３との合計寸法が２４０〜２６０ｍｍであって、第２寸法Ｎ２が１４０〜１６０ｍｍの場合、第２寸法Ｎ２と第３寸法Ｎ３との合計寸法が２９０〜３１０ｍｍである。または、第２寸法Ｎ２が１１５〜１３５ｍｍの場合、第３寸法Ｎ３が１２０〜１４０ｍｍであって、第２寸法Ｎ２が１４０〜１６０ｍｍの場合、第３寸法Ｎ３が１４５〜１６５ｍｍである。第２及び第３寸法Ｎ２，Ｎ３がかかる寸法の範囲内であることによって、下方へ凸曲しすぎて面長な印象を与えることなく、シャープな印象を与えることができる。
【００５３】
また、既述のとおり、接顎部２３が着用者の顎の輪郭に沿うラウンド状を有することから、正面視において下方へ凸曲した形状となる。耳掛け部３０の上下固定部３４Ａ，３４Ｂの固定位置とマスク本体２０の外形輪郭とがかかる特徴を有することによって、下固定部３４Ｂ，３４Ｂ間と下端縁２０ｂの中央に位置する点Ｕ１とを結ぶ逆三角形９５の底辺９５ａ（下固定部３４Ｂ間を結ぶライン）は比較的に高い位置にあり、点Ｕ１側の内角θ４は比較的に小さくなる。
【００５４】
図１０（ｃ）を参照すると、従来のマスク４００では、耳掛け部４３０の上固定部４３４Ａ間の第１寸法Ｎ４が、下固定部４３４Ｂ間の第２寸法Ｎ５よりも大きく、それらが、上下方向Ｙへ位置ずれしていることから、上固定部４３４Ａと下固定部４３４Ｂの離間寸法Ｒ６がおむつ１０に比べて大きくなる。それによって、マスク４００の正面視において、接顔部４２２が縦長となって実際の顔の大きさよりも大きな、横に張り出したような印象を与えるおそれがある。また、マスク本体４２０の下端縁４２０ｂがラウンド形状ではなく、かつ、第３寸法Ｎ６が第１寸法Ｎ４よりも小さいことから、下固定部４３４Ｂ，４３４Ｂ間と下端縁４２０ｂの中央に位置する点Ｕ２とを結ぶ逆三角形４９５の底辺４９５ａ（下固定部３４Ｂ間を結ぶライン）は比較的に低い位置にあり、点Ｕ２側の内角θ５は、比較的に大きくなる。したがって、従来のマスク４００の下方部分がマスク１０の下方部分に比べて横広になり、全体的に顔の外形輪郭が比較的に大きな印象を与えてしまうおそれがある。なお、従来のマスク２００においても、従来のマスク４００と同様に、上固定部２３４Ａと下固定部２３４Ｂ間とが上下方向Ｙにおいて位置ずれしており、かつ、上固定部２３４Ａ間の離間寸法がマスク本体２２０の下端縁の寸法よりも大きいことから、着用したときに、正面視において顔が実際よりも幅広であるような印象を与えるおそれがある。また、従来のマスク３００においては、下端縁がラウンド状でないことから、マスク１０のように下方へ凸曲した形状とならず、視覚的に顔の外形輪郭がシャープな印象を与えることができない。
【００５５】
また、マスク１０の接顎部２３の幅方向Ｘにおける曲げ剛性値（ＫＥＳ曲げ剛性値）が０．０６ｇｆ・ｃｍ２／ｃｍ以下であることが好ましい。接顎部２３の剛性値が比較的に高い場合には、着用者の顎の形状に沿うことができず、顎の動きによって離間して隙間が形成されるおそれがあるが、・曲げ剛性値が０．０６ｇｆ・ｃｍ２／ｃｍ以下であることによって、顎の動きに応じて接顎部２３が変形して顎にフィットした状態を維持することができる。
【００５６】
＜小顔効果の評価方法＞
＜事前評価方法＞
まず、事前評価に使用する資料として、日本人女性の顔の写真画像（肩よりも上方を撮影したもの）を５４０枚、２４インチ液晶ディスプレイ、ヘッドマネキン（２０代の日本人女性の標準的なサイズを有する顔面模型、バイオスキンドールＦ−３００Ｓ，ビューラックス）を用意した。次に、事前評価者（１８歳以上の男女合計３６名）をデスクの上に配置された液晶ディスプレイの画面から６０ｃｍ離れた位置にある椅子に座らせた。液晶ディスプレイの画面には、画像写真を所定のサイズ（３５４×４７２ピクセルのＪＰＥＧ画像、縦９．８ｃｍ×横１３．０７ｃｍ）で表示し、液晶ディスプレイの横には、ヘッドマネキンを配置した。事前評価者は、液晶ディスプレイの画面に表示された写真画像Ａとヘッドマネキンとを対比観察して、ヘッドマネキンの顔の大きさを５０（ポイント）とした場合の画像写真の顔の大きさを１〜１００（数字が大きいほどに顔が大きい）の範囲で評価して事前評価値とした。事前評価者は、片手で液晶ディスプレイに接続されたパソコン本体のマウスを操作し、視覚的アナログスケール上の適当と思われる数字にカーソルを移動させることによって事前評価値を示した。なお、各評価者による画像写真の評価順序、評価枚数についてはランダムに行った。
【００５７】
各事前評価者による事前評価値を写真画像ごとに集計して平均値を算出した。なお、写真画像ごとに評価者数は異なっており、平均的に、１つの写真画像について１８名が評価した。図１１は、事前評価値を基にして作成したヒストグラム（縦軸を度数、横軸を見た目の顔の大きさの階級）を示したものであって、分布の平均値は５１．３、標準偏差は７．７、最小値は３２．５、最大値は７７．６であった。この分布の最小値から昇順に２２枚の写真画像（小さい顔）、平均値から２２枚の写真画像（平均的な大きさの顔）、最大値から降順に２２枚の写真画像（大きい顔）の合計６６枚の写真画像（写真画像Ａ）を以下の本評価で用いる画像とした。
【００５８】
＜本評価方法＞
事前に準備した写真画像Ａと、写真画像Ａの顔に画像編集ソフトによってマスク１０を着用させた写真画像Ｂとを用意した。本評価者（１８歳以上の男女合計１１名であって、事前評価者とは異なる者）は、事前評価方法と同じ条件で、６６枚の写真画像（写真画像Ａ，Ｂをそれぞれ３３枚）について１枚ずつ、見た目の顔の大きさを評価した。本評価するときには、各本評価者が、同じ人物による写真画像Ａと写真画像Ｂとをともに評価することがないように調整した。各本評価者が評価する写真画像Ａ，Ｂは、ランダムに選別した。かかる本評価によって得られた本評価値をマスク１０の着用の有無（写真画像Ａ，写真画像Ｂ）×元の顔の大きさ（小さい顔、平均的な顔の大きさ、大きい顔）の６条件ごとに集計し、平均値とその標準誤差を算出した。
【００５９】
＜本評価結果＞
図１２を参照すると、「マスク１０未着用の状態において小さい顔」においては、未着用のときの本評価値の平均が４０．５であるのに対し、マスク１０を着用した状態における本評価値の平均が３３．５であった。また、「マスク未着用の状態において平均的な大きさの顔」においても、未着用のときの本評価値の平均が５３．３であるのに対し、マスク１０を着用した状態における本評価値の平均が４４．８、「マスク未着用の状態において大きい顔」においても、未着用のときの本評価値の平均が７０．６であるのに対し、マスク１０を着用した状態における本評価値の平均が６３．１であって、いずれの場合においても、マスク１０を着用してない状態の顔の大きさに関係なく、マスク１０を着用すると、見た目の顔の大きさが小さく感じられた。
【００６０】
また、本評価によって得られた本評価値に関し、前記６条件に関する２要因分散分析を行ったところ、マスク１０の着用の有無の主効果（Ｆ（１，１０）＝１０．４０,ｐ＝０．０９）、元の顔の大きさの主効果（Ｆ（２，２０）＝９１．５５,ｐ＝０．０１）であって、統計的に有意な結果を得ることができた。マスク１０の着用の有無と元の顔の大きさとの交互作用は認められなかった。よって、元の顔の大きさに関係なく、マスク１０を着用した顔は着用していない顔よりも、小さく見える（小顔に見える）という統計結果を得ることができた。
【００６１】
＜変形例＞
図１３は、変形例の一例における使い捨てマスク１０を正面から視た平面図である。本変形例においては、接合部４１が配置されていない非シール域９１が非重畳部分（低剛性域）２９Ｂに位置している。このように、非シール域９１が非重畳部分２９Ｂに配置されていることによって、非重畳部分２９Ｂの剛性をその上下方向に隣接して位置する重畳部分２９Ａに比べてより低くすることができ、非重畳部分２９Ｂにおいて上方へ向かう力Ｆ２を確実に吸収、分散することができる。また、非シール域９１の下方には、接合部４１が幅方向Ｘへ並んで配置された幅広接合域９２が位置している。このように、幅広接合域９２が非重畳部分２９Ｂの下方に隣接して位置することによって、上方へ向かう力Ｆ２を非重畳部分２９Ｂにおいて広い範囲で受けて吸収、分散することができる。
【００６２】
このように、非シール域９１は、低剛性域の折曲誘導部としての機能を補助するためのものである。かかる効果を奏するためには、非シール域９１の上下方向Ｙの寸法が、サイドシール域４４の複数の接合部４１間の離間寸法（ピッチ）よりも大きいことが好ましい。非シール域９１の上下方向Ｙの寸法が、接合部４１間と同等又はそれよりも小さい場合には、非シール域９１ではなく、サイドシール域４４における接合部４１間の離間部分において上向きの力Ｆ２が吸収、分散されて屈曲するおそれがあり、マスク本体２０全体を所定の形状の湾曲させることができないおそれがあるからである。
【００６３】
マスク１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００６４】
１０  使い捨てマスク（マスク）
１９ａ  中央部位
１９ｂ，１９ｃ  サイド曲状部位
２０  マスク本体
２０ａ  マスク本体の上端縁
２０ｂ  マスク本体の下端縁
２０ｃ，２０ｄ  マスク本体の側縁
２２  接顔部
２３  接顎部
２８Ａ〜２８Ｄ  襞部
２９Ａ  重畳部分
２９Ｂ非重畳部分
３０  耳掛け部
３１Ａ，３１Ｂ  耳掛け部の上下端
３４Ａ，３４Ｂ  上下固定部
４０  外周シール域
４３  下側シール域
４１  接合部
５５  高剛性域
Ｋ１  中央部位の両側縁に位置する第１点から幅方向へ延びる第１ライン
Ｋ２  第１点と自由部の下端縁と下固定部の内側縁との交点である第２点とを結ぶ第２ライン
Ｎ１  耳掛け部の上固定部間の幅方向の第１寸法
Ｎ２  耳掛け部の下固定部間の幅方向の第２寸法
Ｎ３  接顎部の下端縁の幅方向の寸法である第３寸法
Ｐ１  中央部位の両側縁に位置する点
Ｐ２  両側部位の上端縁に位置する点
Ｑ  横断中心線
Ｒ１  高剛性域と中央部位とにおける上下方向Ｙの離間寸法
Ｗ２  接顔部の下端から中央部位までの離間寸法
Ｘ  幅方向
Ｙ  上下方向
θ１  交角
【要約】
【課題】顔面とマスク本体との間に、空気中の花粉や粉塵等が入り込むような隙間が生じることのない使い捨てマスクの提供。
【解決手段】マスク本体２０は、上下端縁２０ａ，２０ｂと、両側縁２０ｃ，２０ｄと、着用者の口鼻を覆う接顔部２２と、接顔部２２から下方へ凸曲状に突出する接顎部２３とを有する。耳掛け部３０の両端は、接顔部２２の両側部分において上下端縁２０ａ，２０ｂ側に固定されており、接顎部２３は、下端縁２０ｂに沿って幅方向Ｘへ延びる、他の部分よりも剛性の高い高剛性域５５を有する。
【選択図】図１【図１】
0005937748.tif 000002
【図２】
0005937748.tif 000003
【図３】
0005937748.tif 000004
【図４】
0005937748.tif 000005
【図５】
0005937748.tif 000006
【図６】
0005937748.tif 000007
【図７】
0005937748.tif 000008
【図８】
0005937748.tif 000009
【図９】
0005937748.tif 000010
【図１０】
0005937748.tif 000011
【図１１】
0005937748.tif 000012
【図１２】
0005937748.tif 000013
【図１３】
0005937748.tif 000014